(57)【特許請求の範囲】
【請求項１】
方法であって、
ワイヤレス通信デバイスにおいて１つまたは複数のワイヤレス信号を受信することと、
前記１つまたは複数のワイヤレス信号に少なくとも部分的に基づいて、前記ワイヤレス通信デバイスの動作環境の１つまたは複数の属性を求めることと、
前記動作環境の前記１つまたは複数の求められた属性に少なくとも部分的に基づいて、高頻度通話動作モード、二重加入動作モード、および／または緊急警報動作モードのうちの１つまたは複数を検出することと、
前記１つまたは複数の動作モードを前記検出することに少なくとも部分的に応答して、前記ワイヤレス通信デバイスの１つまたは複数のサービス品質パラメータを調整することと
を備え、
前記ワイヤレス通信デバイスの１つまたは複数のサービス品質パラメータを調整することは、前記二重加入動作モードが検出されたとき、２つ以上の加入の間でアービトレート優先度を動的に調整することを備え、
前記２つ以上の加入の間でアービトレート優先度を動的に調整することは、前記２つ以上の加入のうちの１つが前記高頻度通話動作モードにあるか否かを判定することと、前記高頻度通話動作モードにある前記加入に有利になるように前記アービトレート優先度をバイアスさせることとを備える、方法。
【請求項２】
前記検出することは、前記高頻度通話動作モードを検出することを備える、請求項１に記載の方法。
【請求項３】
前記１つまたは複数のサービス品質パラメータを前記調整することは、前記高頻度通話動作モードを前記検出することに少なくとも部分的に応答して、前記ワイヤレス通信デバイスのアイドル状態の間に前記ワイヤレス通信デバイスが受信機回路をイネーブルする頻度を増大させることを備える、請求項２に記載の方法。
【請求項４】
前記１つまたは複数のサービス品質パラメータを調整することは、前記高頻度通話動作モードを前記検出することに少なくとも部分的に応答して、アイドル状態の間に前記ワイヤレス通信デバイスが受信機回路をイネーブルする時間期間を増大させることを備える、請求項２に記載の方法。
【請求項５】
前記１つまたは複数のサービス品質パラメータを調整することは、
前記高頻度通話動作モードを前記検出することに少なくとも部分的に応答して、或るスロット動作モードを終了して或るスロット動作モードになることと、
前記高頻度通話動作モードを前記検出することに少なくとも部分的に応答して、同期、アイドル、および／またはアクセス状態の間に受信ダイバーシティおよび干渉除去を備える１つまたは複数の復調技法を起動することと
のうちの１つまたは複数を備える、請求項２に記載の方法。
【請求項６】
前記２つ以上の加入の間で前記アービトレート優先度を前記調整することは、ユーザ指定に従って前記２つ以上の加入のうちの１つに有利になるように前記アービトレート優先度をバイアスさせることを備える、請求項１に記載の方法。
【請求項７】
前記２つ以上の加入の間で前記アービトレート優先度を前記調整することは、前記２つ以上の加入のうちの１つが通話に入る可能性が高いか否かを判定することと、前記通話に入る可能性が高いと判定された前記加入に有利になるように前記アービトレート優先度をバイアスさせることとをさらに備える、請求項１に記載の方法。
【請求項８】
前記２つ以上の加入の間で前記アービトレート優先度を前記調整することは、第１のページ期間にわたって第１の加入に有利になるように前記アービトレート優先度をバイアスさせることと、前記第１のページ期間の満了に少なくとも部分的に応答して、第２の加入に有利になるように前記アービトレート優先度をバイアスさせることとをさらに備える、請求項１に記載の方法。
【請求項９】
前記検出することは、前記緊急警報動作モードを検出することを備える、請求項１に記載の方法。
【請求項１０】
緊急警報動作モードを前記検出することは、前記ワイヤレス通信デバイスが緊急対応電話番号への通話を開始したことを認識することに少なくとも部分的に基づいて前記緊急警報動作モードを検出することを備える、請求項９に記載の方法。
【請求項１１】
前記１つまたは複数のサービス品質パラメータを前記調整することは、緊急警報通話のための信号送信電力を増大させることを備える、請求項９に記載の方法。
【請求項１２】
前記１つまたは複数のサービス品質パラメータを前記調整することは、１つまたは複数の増強復調技法を起動することを備える、請求項９に記載の方法。
【請求項１３】
前記１つまたは複数のサービス品質パラメータを前記調整することは、１ｘ加入および別個のＥＶ−ＤＯ加入が受信チェーンを共有する場合に緊急警報通信を変調および／または復調することに対する優先度を上げることを備える、請求項９に記載の方法。
【請求項１４】
前記１つまたは複数のサービス品質パラメータを前記調整することは、同時モードからハイブリッドモードへと切り替えるためのアルゴリズムに対するしきい値を上昇させることを備え、前記同時モードは、１ｘ通信には第１の受信チェーンを、および、ＥＶ−ＤＯ通信には第２の受信チェーンを利用し、前記ハイブリッドモードは、１ｘとＥＶ−ＤＯ通信の両方に単一の受信チェーンを利用し、さらに、前記しきい値を前記上昇させることの結果として、１ｘ通信の受信信号電力に応答して同時モードからハイブリッドモードへより積極的に切り替わることになる、請求項９に記載の方法。
【請求項１５】
バッテリー内に残っている充電量が指定されるしきい値を下回って低下したことに少なくとも部分的に応答して１つまたは複数のＱｏＳパラメータを調整することをさらに備える、請求項１に記載の方法。
【請求項１６】
前記バッテリー内に残っている充電量が前記指定されるしきい値を下回って低下したことに少なくとも部分的に応答して前記１つまたは複数のＱｏＳパラメータを前記調整することは、電力消費を低減するために１つまたは複数の受信チェーンをディセーブルすることを備える、請求項１５に記載の方法。
【請求項１７】
ワイヤレス通信デバイスであって、
前記ワイヤレス通信デバイスにおいて１つまたは複数のワイヤレス信号を受信するための受信機と、
前記１つまたは複数のワイヤレス信号に少なくとも部分的に基づいて、前記ワイヤレス通信デバイスの動作環境の１つまたは複数の属性を求めるプロセッサであって、前記プロセスはさらに、前記動作環境の前記１つまたは複数の求められた属性に少なくとも部分的に基づいて、高頻度通話動作モード、二重加入動作モード、および／または緊急警報動作モードのうちの１つまたは複数を検出し、前記プロセッサはさらに、前記１つまたは複数の動作モードを前記検出することに少なくとも部分的に応答して、前記ワイヤレス通信デバイスの１つまたは複数のサービス品質パラメータを調整する、プロセッサと
を備え、
前記ワイヤレス通信デバイスの１つまたは複数のサービス品質パラメータを調整することは、前記二重加入動作モードが検出されたとき、２つ以上の加入の間でアービトレート優先度を動的に調整することを備え、
前記２つ以上の加入の間でアービトレート優先度を動的に調整することは、前記２つ以上の加入のうちの１つが前記高頻度通話動作モードにあるか否かを判定することと、前記高頻度通話動作モードにある前記加入に有利になるように前記アービトレート優先度をバイアスさせることとを備える、ワイヤレス通信デバイス。
【請求項１８】
前記プロセッサは、少なくとも部分的に前記高頻度通話動作モードを検出することによって、前記１つまたは複数の動作モードを検出する、請求項１７に記載のワイヤレス通信デバイス。
【請求項１９】
前記プロセッサは、前記プロセッサが前記高頻度通話動作モードを前記検出することに少なくとも部分的に応答して、少なくとも部分的に前記ワイヤレス通信デバイスのアイドル状態の間に前記ワイヤレス通信デバイスが受信機回路をイネーブルする頻度を増大させることによって、前記１つまたは複数のサービス品質パラメータを調整する、請求項１８に記載のワイヤレス通信デバイス。
【請求項２０】
前記プロセッサは、前記高頻度通話動作モードを前記検出することに少なくとも部分的に応答して、少なくとも部分的にアイドル状態の間に前記ワイヤレス通信デバイスが受信機回路をイネーブルする時間期間を増大させることによって、前記１つまたは複数のサービス品質パラメータを調整する、請求項１８に記載のワイヤレス通信デバイス。
【請求項２１】
前記プロセッサは、少なくとも部分的に、
前記プロセッサが前記高頻度通話動作モードを検出することに少なくとも部分的に応答して、或るスロット動作モードを終了して或るスロット動作モードになること、ならびに／または
前記プロセッサが前記高頻度通話動作モードを前記検出することに少なくとも部分的に応答して、同期、アイドル、および／もしくはアクセス状態の間に受信ダイバーシティおよび干渉除去を備える１つまたは複数の復調技法を起動すること
によって、前記１つまたは複数のサービス品質パラメータを調整する、請求項１８に記載のワイヤレス通信デバイス。
【請求項２２】
前記２つ以上の加入の間で前記アービトレート優先度を前記調整することは、ユーザ指定に従って前記２つ以上の加入のうちの１つに有利になるように前記アービトレート優先度をバイアスさせることをさらに備える、請求項１７に記載のワイヤレス通信デバイス。
【請求項２３】
前記２つ以上の加入の間で前記アービトレート優先度を前記調整することは、前記２つ以上の加入のうちの１つが通話に入る可能性が高いか否かを判定すること、および、前記通話に入る可能性が高いと判定された前記加入に有利になるように前記アービトレート優先度をバイアスさせることをさらに備える、請求項１７に記載のワイヤレス通信デバイス。
【請求項２４】
前記２つ以上の加入の間で前記アービトレート優先度を前記調整することは、第１のページ期間にわたって第１の加入に有利になるように前記アービトレート優先度をバイアスさせることと、前記第１のページ期間の満了に少なくとも部分的に応答して、第２の加入に有利になるように前記アービトレート優先度をバイアスさせることとをさらに備える、請求項１７に記載のワイヤレス通信デバイス。
【請求項２５】
前記プロセッサは、少なくとも部分的に前記緊急警報動作モードを検出することによって、前記１つまたは複数の動作モードを検出する、請求項１７に記載のワイヤレス通信デバイス。
【請求項２６】
前記プロセッサは、移動局が緊急対応電話番号への通話を開始したことを認識することに少なくとも部分的に基づいて前記緊急警報動作モードを検出する、請求項２５に記載のワイヤレス通信デバイス。
【請求項２７】
前記プロセッサは、少なくとも部分的に、緊急警報通話のための信号送信電力を増大させることによって前記１つまたは複数のサービス品質パラメータを調整する、請求項２５に記載のワイヤレス通信デバイス。
【請求項２８】
前記プロセッサは、少なくとも部分的に、１つまたは複数の増強復調技法を起動することによって前記１つまたは複数のサービス品質パラメータを調整する、請求項２５に記載のワイヤレス通信デバイス。
【請求項２９】
前記プロセッサは、少なくとも部分的に、１ｘ加入および別個のＥＶ−ＤＯ加入が受信チェーンを共有する場合に緊急警報通信を変調および／または復調することに対する優先度を上げることによって、前記１つまたは複数のサービス品質パラメータを調整する、請求項２５に記載のワイヤレス通信デバイス。
【請求項３０】
前記プロセッサは、少なくとも部分的に、同時モードからハイブリッドモードへと切り替えるためのアルゴリズムに対するしきい値を上昇させることによって、前記１つまたは複数のサービス品質パラメータを調整し、前記同時モードは、１ｘ通信には第１の受信チェーンを、および、ＥＶ−ＤＯ通信には第２の受信チェーンを利用し、前記ハイブリッドモードは、１ｘとＥＶ−ＤＯ通信の両方に単一の受信チェーンを利用し、さらに、前記しきい値を前記上昇させることの結果として、１ｘ通信の受信信号電力に応答して同時モードからハイブリッドモードへより積極的に切り替わることになる、請求項２５に記載のワイヤレス通信デバイス。
【請求項３１】
前記プロセッサはさらに、バッテリー内に残っている充電量が指定されるしきい値を下回って低下したことに少なくとも部分的に応答して１つまたは複数のＱｏＳパラメータを調整する、請求項１７に記載のワイヤレス通信デバイス。
【請求項３２】
前記プロセッサは、少なくとも部分的に、電力消費を低減するために１つまたは複数の受信チェーンをディセーブルすることによって、前記バッテリー内に残っている充電量が前記指定されるしきい値を下回って低下したことに応答して１つまたは複数のＱｏＳパラメータを調整する、請求項３１に記載のワイヤレス通信デバイス。
【請求項３３】
ワイヤレス通信デバイスにおいて１つまたは複数のワイヤレス信号を受信するための手段と、
前記１つまたは複数のワイヤレス信号に少なくとも部分的に基づいて、ワイヤレス通信デバイスの動作環境の１つまたは複数の属性を求めるための手段と、
前記動作環境の前記１つまたは複数の求められた属性に少なくとも部分的に基づいて、高頻度通話動作モード、二重加入動作モード、および／または緊急警報動作モードのうちの１つまたは複数を検出するための手段と、
前記１つまたは複数の動作モードを前記検出することに少なくとも部分的に応答して、前記ワイヤレス通信デバイスの１つまたは複数のサービス品質パラメータを調整するための手段と、
を備え、
前記ワイヤレス通信デバイスの１つまたは複数のサービス品質パラメータを調整するための手段は、前記二重加入動作モードが検出されたとき、２つ以上の加入の間でアービトレート優先度を動的に調整するための手段を備え、
前記２つ以上の加入の間でアービトレート優先度を動的に調整するための手段は、前記２つ以上の加入のうちの１つが前記高頻度通話動作モードにあるか否かを判定するための手段と、前記高頻度通話動作モードにある前記加入に有利になるように前記アービトレート優先度をバイアスさせるための手段とを備える、装置。
【請求項３４】
前記検出するための手段は前記高頻度通話動作モードを検出するための手段を備え、前記１つまたは複数のサービス品質パラメータを調整するための前記手段は、前記高頻度通話動作モードを前記検出することに少なくとも部分的に応答して、前記ワイヤレス通信デバイスのアイドル状態の間に前記ワイヤレス通信デバイスが受信機回路をイネーブルする頻度を増大させるための手段を備える、請求項３３に記載の装置。
【請求項３５】
前記検出するための手段は、前記二重加入動作モードを検出するための手段を備える、請求項３３に記載の装置。
【請求項３６】
前記検出するための手段は、前記緊急警報動作モードを検出するための手段を備え、前記緊急警報動作モードを検出するための前記手段は、前記ワイヤレス通信デバイスが緊急対応電話番号への通話を開始したことを認識することに少なくとも部分的に基づいて前記緊急警報動作モードを検出するための手段を備える、請求項３３に記載の装置。
【請求項３７】
前記１つまたは複数のサービス品質パラメータを前記調整するための手段は、緊急警報通話のための信号送信電力を増大させるための手段を備える、請求項３６に記載の装置。
【請求項３８】
バッテリー内に残っている充電量が指定されるしきい値を下回って低下したことに少なくとも部分的に応答して１つまたは複数のＱｏＳパラメータを調整するための手段をさらに備える、請求項３３に記載の装置。
【請求項３９】
ワイヤレス通信デバイスによって、
１つまたは複数のワイヤレス信号を受信し、
前記１つまたは複数のワイヤレス信号に少なくとも部分的に基づいて、前記ワイヤレス通信デバイスの動作環境の１つまたは複数の属性を求め、
前記動作環境の前記１つまたは複数の求められた属性に少なくとも部分的に基づいて、高頻度通話動作モード、二重加入動作モード、および／または緊急警報動作モードのうちの１つまたは複数を検出し、
前記１つまたは複数の動作モードを前記検出することに少なくとも部分的に応答して、前記ワイヤレス通信デバイスの１つまたは複数のサービス品質パラメータを調整するために実行可能である命令を記憶している記憶媒体を備え、
前記ワイヤレス通信デバイスの１つまたは複数のサービス品質パラメータを調整することは、前記二重加入動作モードが検出されたとき、２つ以上の加入の間でアービトレート優先度を動的に調整することを備え、
前記２つ以上の加入の間でアービトレート優先度を動的に調整することは、前記２つ以上の加入のうちの１つが前記高頻度通話動作モードにあるか否かを判定することと、前記高頻度通話動作モードにある前記加入に有利になるように前記アービトレート優先度をバイアスさせることとを備える、物品。
【請求項４０】
前記記憶媒体は、前記ワイヤレス通信デバイスによって、
少なくとも部分的に、前記高頻度通話動作モードを検出することによって前記１つまたは複数の動作モードを検出し、
前記高頻度通話動作モードを前記検出することに少なくとも部分的に応答して、少なくとも部分的に、前記ワイヤレス通信デバイスのアイドル状態の間に前記ワイヤレス通信デバイスが受信機回路をイネーブルする頻度を増大させることによって、前記１つまたは複数のサービス品質パラメータを調整するように実行可能であるさらなる命令を記憶している、請求項３９に記載の物品。
【請求項４１】
前記記憶媒体は、前記ワイヤレス通信デバイスによって、少なくとも部分的に、
前記高頻度通話動作モードを前記検出することに少なくとも部分的に応答して、或るスロット動作モードを終了して或るスロット動作モードになること、ならびに／または
前記高頻度通話動作モードを前記検出することに少なくとも部分的に応答して、同期、アイドル、および／もしくはアクセス状態の間に受信ダイバーシティおよび干渉除去を備える１つまたは複数の復調技法を起動すること
によって、前記１つまたは複数のサービス品質パラメータを調整するように実行可能であるさらなる命令を記憶している、請求項４０に記載の物品。
【請求項４２】
前記記憶媒体は、前記ワイヤレス通信デバイスによって、
少なくとも部分的に、前記ワイヤレス通信デバイスが緊急対応電話番号への通話を開始したことを認識することに少なくとも部分的に基づいて前記緊急警報動作モードを検出することによって、前記１つまたは複数の動作モードを検出し、
少なくとも部分的に、緊急警報通話のための信号送信電力を増大させることによって前記１つまたは複数のサービス品質パラメータを調整するように実行可能であるさらなる命令を記憶している、請求項３９に記載の物品。
【発明の詳細な説明】
【技術分野】
【０００１】
本明細書で開示する主題は、ワイヤレス通信システム内の通信デバイスのための適応的サービス品質に関する。
【背景技術】
【０００２】
移動局のようなワイヤレス通信デバイスは、たとえば、ワイヤレス信号を１つまたは複数の基地局から受信することができ得、かつ／またはワイヤレス信号を１つまたは複数の基地局に送信することができ得る。移動局は、セルラー通信システムの一部として動作することができ得、たとえば、電話通話に関与する場合に基地局とワイヤレス信号を交換することができ得る。
【０００３】
移動局が通話にアクティブに関与していない場合、移動局はバッテリー電力を保持するためにアイドルスロット状態（idle slotted state）にある場合がある。アイドル状態にある間、移動局は、移動局がページングしたか否かを判定するためにその受信機を定期的にオンにすることによってページングチャネルを監視することができ得る。基地局によって送信されるページメッセージは、移動局に、その移動局に対して着信呼またはメッセージがあることを示すことができ得る。ページメッセージが着信呼を示している場合、移動局は基地局とのアクティブな通信を確立することができ得、その通信は、移動局がその通話に関与している間はアクティブなままであることができ得る。
【０００４】
前述のように、移動局が通話にアクティブに関与していない場合、移動局はバッテリー電力を保持するためにアイドル状態にある場合がある。一般に、移動局のバッテリー寿命は、少なくとも部分的には、移動局の受信機回路および送信機回路がどれぐらい長い時間オンであるかによって决まり得る。移動局がシステムをアクティブに監視する時間が長くなるほど、バッテリー寿命は短くなる。逆に、移動局の受信機回路および送信機回路がオフである時間が長いほど、バッテリー寿命は長くなる。アイドルスロット状態にある間、移動局受信機がより低い頻度（frequently）において、かつ／またはより短い時間期間にわたってオンである場合、バッテリー寿命はそれに従って延長されることが可能である。しかしながら、このようにバッテリー寿命を延長することは、通話性能に関係するため、サービス品質（ＱｏＳ）に悪影響を及ぼす場合がある。
【０００５】
移動局は一般的には、通話性能およびＱｏＳに関係するあらかじめ選択されたパラメータのセットを有して製造され、消費者に供給される。移動局製造者および／またはセルラーネットワークプロバイダは、たとえば、通話性能とバッテリー寿命の有利なバランスを提供することができ得るあらかじめ選択されたパラメータのセットを作成するよう試みる場合がある。しかしながら、移動局が動作し得る広範囲に及ぶ動作環境が存在する。さらに、任意の所与の移動局の動作環境は、条件がその時々で経時的に変化するため、一定のままでない場合がある。また、個々の消費者は人によって広く異なる使用パターンを有する場合があり、さらにまた、消費者の使用パターンはたとえば、経時的に変化する場合がある。
【発明の概要】
【０００６】
一態様では、１つまたは複数のワイヤレス信号が、ワイヤレス通信デバイスにおいて受信されることが可能であり、無線通信デバイスの動作環境の１つまたは複数の属性が、ワイヤレス信号に少なくとも部分的に基づいて求められることが可能である。また、動作環境の１つまたは複数の属性の上記確定に少なくとも部分的に応答して、ワイヤレス通信デバイスの１つまたは複数のサービス品質パラメータが調整されることが可能である。別の態様では、１つまたは複数のサービス品質パラメータは、高頻度通話動作モード、二重加入動作モード、または緊急警報動作モードのうちの１つまたは複数に少なくとも部分的に関係する場合がある。もちろん、これらは特定の実施態様の例に過ぎず、特許請求する主題はこの点について限定されない。
【図面の簡単な説明】
【０００７】
【図１】例示的なセルラーネットワークの概略ブロック図。
【図２】多数の例示的な送信機からワイヤレス信号を受信する例示的な移動局を示す図。
【図３】ワイヤレス通信デバイスのための適応的サービス品質のための例示的なプロセスの流れ図。
【図４】ワイヤレス通信デバイスを調整するためのサービス品質パラメータを決定するための例示的なプロセスの概略ブロック図。
【図５】ワイヤレス通信デバイスの高頻度通話動作モードの検出に応答して１つまたは複数のサービス品質パラメータを調整するための例示的なプロセスを示す流れ図。
【図６】ワイヤレス通信デバイスの緊急警報動作モードの検出に応答して１つまたは複数のサービス品質パラメータを調整するための例示的なプロセスを示す流れ図。
【図７】ワイヤレス通信デバイスの二重加入動作モードの検出に応答して１つまたは複数のサービス品質パラメータを調整するための例示的なプロセスを示す流れ図。
【図８】ワイヤレス通信デバイスの例示的な二重加入モードアービトレート動作を示す概略ブロック図。
【図９】例示的なワイヤレス通信デバイスの概略ブロック図。
【発明を実施するための形態】
【０００８】
上記で説明したように、ほんの一例を挙げると、移動局のようなワイヤレス通信デバイスは、通話性能およびサービス品質（ＱｏＳ）に関係するあらかじめ選択されたパラメータを有して製造され、消費者に供給されることが可能である。移動局製造者および／またはセルラーネットワークプロバイダは、たとえば、通話性能とバッテリー寿命の有利なバランスを提供する取り組みにおいて、パラメータをあらかじめ選択する場合がある。しかしながら、同じく上記で述べたように、消費者の選好および使用パターンを含む、移動局のようなワイヤレス通信デバイスが動作し得る広範に及ぶ動作環境が存在し、広範に及ぶワイヤレス通信デバイスユーザ、および、ユーザに関係しない広範に及ぶ動作条件にわたって、通話性能とバッテリー寿命の望ましいバランスを提供するＱｏＳパラメータのセットを提供することは困難であり得る。さらに上記で述べたように、任意の所与のワイヤレス通信デバイスの動作環境はその時々でまたは経時的に一定のままでない場合がある。また、同じく前述のように、個々の消費者の使用パターンは人によって広範に変化する場合があり、彼らのそれぞれの使用パターンも同様に経時的に変化する場合がある。
【０００９】
一態様では、上述の難点の少なくともいくつかを緩和するために、ワイヤレス通信デバイスは、たとえば、ユーザ選好を含む動作状態を観測することができ得、観測された動作状態に照らして、通話性能とバッテリー寿命のより良好なバランスをとってより有利なサービス品質（ＱｏＳ）を提供するために、ワイヤレス通信デバイスの動作に関係する１つまたは複数のパラメータを調整することができ得る。一態様では、ワイヤレス通信デバイスは、１つまたは複数のワイヤレス信号を受信することができ得、無線通信デバイスの動作環境の１つまたは複数の属性が、受信される１つまたは複数のワイヤレス信号に少なくとも部分的に基づいて求められることが可能である。また、動作環境の１つまたは複数の属性の上記確定に少なくとも部分的に応答して、ワイヤレス通信デバイスの１つまたは複数のＱｏＳパラメータが調整されることが可能である。別の態様では、１つまたは複数のＱｏＳパラメータは、たとえば、高頻度通話動作モード、二重加入動作モード、または緊急警報動作モードのうちの１つまたは複数に少なくとも部分的に関係する場合がある。そのような例示的な動作モードおよび様々な関連する例示的なＱｏＳパラメータ調整を、特定の実施態様に関連して以下でより十分に説明する。
【００１０】
前述のように、移動局のようなワイヤレス通信デバイスは、すべての条件下ですべてのユーザにとって有利であるとは限らない場合があるデフォルトのまたはあらかじめ選択されたパラメータを有する場合がある。本明細書で説明する様々な例は、適応的ＱｏＳと称される場合があるものを利用し、ワイヤレス通信デバイスは観測される動作環境に少なくとも部分的に依存してＱｏＳパラメータを調整するか否かを認識することができ得る。本明細書で使用される場合、「サービス品質」（ＱｏＳ）という用語は、ワイヤレス通信デバイスを操作しているユーザが知覚し得る、ワイヤレス通信デバイスの１つまたは複数の性能属性を指し得る。そのような性能属性は、限定はしないが、たとえば、通話の完了に成功する割合、電話をつなぐのに必要な知覚される時間、およびバッテリー寿命を含むことができ得る。同じく本明細書で使用される場合、「ＱｏＳパラメータ」という用語は、ワイヤレス通信デバイスのＱｏＳに影響を及ぼし得る、ワイヤレス通信デバイス内で調整され得る任意の動作パラメータを指す。上述のＱｏＳ態様に加えて、特許請求する主題によるＱｏＳパラメータは、たとえば、データ待ち時間および／またはデータスループットに関係するパラメータを含むことができ得る。そのようなデータ待ち時間および／またはデータスループットパラメータは、いくつかの実装態様では、たとえば、移動局と基地局および／またはアクセスポイントとの間のような、ネットワーク内のエンティティ間で取り決められ得る。しかしながら、特許請求する主題の範囲はこれらの点について限定されない。
【００１１】
適応的ＱｏＳプロセスは、前述のように、ワイヤレス通信デバイスの動作環境を決定することと、決定された動作環境に少なくとも部分的に基づいて１つまたは複数のＱｏＳパラメータを調整することとを備えることができ得る。本明細書で使用される場合、「動作環境」という用語は、ワイヤレス通信デバイスが経験し得るワイヤレス信号送信および／または受信に関係する条件を指し得る。動作環境は、たとえば、所与の時間期間にわたってワイヤレス通信デバイスにおいて受信されるワイヤレス信号の量、受信されるワイヤレス信号のタイプ、受信信号のそれぞれの知覚される強度、受信信号を送信しているワイヤレス送信機の量、任意の観測されるワイヤレス通信ネットワークプロバイダの識別情報、任意の観測されるセルラー通信ネットワークプロトコルのタイプ、所与の時間期間にわたる受信音声通話の数、所与の時間期間にわたるワイヤレス通信デバイスによって開始される音声通話の数、移動局のようなワイヤレス通信デバイスの位置ロケーションの変化の頻度および／または程度などのような１つまたは複数の属性によって説明され得る。もちろん、これらは動作環境を説明することができ得る属性の例に過ぎず、特許請求する主題の範囲はこの点について限定されない。
【００１２】
一態様では、適応的ＱｏＳプロセスは、通話性能の向上と、バッテリー寿命を向上させるための待機時間の増大という、一見すると相反する目標のバランスをとることを模索することができ得る。たとえば、待機時間を増大させるための、たとえばＣＤＭＡ２０００通信ネットワークのような符号分割多元接続（ＣＤＭＡ）ワイヤレス通信ネットワークの一部として動作するワイヤレス通信デバイスの場合、ワイヤレス通信デバイスは、ページング信号をチェックするために可能な限り短い時間の間で、かつ可能な限り低い頻度で起動するべきである。しかしながら、通話性能を向上させるために、ワイヤレス通信デバイス内の受信機回路がページング信号をチェックするためにイネーブル（enabled）される時間量を増大させること、および／またはワイヤレス通信デバイスがページング信号をチェックするために受信機回路をイネーブルする頻度を向上させることが有利であり得る。もちろん、ワイヤレス通信デバイスが受信機回路をイネーブルする時間量およびワイヤレス通信デバイスが受信機回路をイネーブルする頻度は、ワイヤレス通信デバイスのサービス品質に変更を行うために調整され得るパラメータの例に過ぎず、特許請求する主題の範囲はこの点について限定されない。
【００１３】
他の例では、ワイヤレス通信デバイスによって観測される動作環境に少なくとも部分的に依存してＱｏＳを向上させる取り組みにおいて解析および／または調整され得る広範囲に及ぶパラメータの任意のものが存在し得る。本明細書で説明する適応的ＱｏＳプロセスは、ワイヤレス通信デバイスの観測される動作環境に応じて任意の次元において調整され得る多次元パラメータ空間を有するものとして考えられ得る。一態様では、動作環境はユーザの１つまたは複数の選好を含むことができ得る。単に１つの例として、特定のユーザはバッテリー寿命には関心がない場合があるが、代わりに通話性能の向上を望む場合があり、通話性能は単に１つの例として、通話を接続するのに必要とされる時間量の低減を備え得る。別の例では、通話性能の向上は、通話が早々に途切れてしまい得る機会を低減することを備え得る。もちろん、これらは通話性能の向上の例示的な態様に過ぎず、特許請求する主題の範囲はこの点について限定されない。
【００１４】
前述のように、ワイヤレス通信デバイスの動作環境はユーザの１つまたは複数の選好を含むことができ得る。ユーザの選好は、任意のＱｏＳパラメータに対して調整を行うべきか否かを判定する際に考慮に入れることができ得る。ユーザは、一態様では、ワイヤレス通信デバイス上に設けられるユーザインターフェースによって１つまたは複数の選好を入力することができ得る。たとえば、ユーザは、たとえば、タッチスクリーンまたは他のディスプレイおよび入力デバイスを備えるグラフィカルユーザインターフェースの一部として提供されるメニューを介して選択を行うことができ得る。もちろん、これらはユーザがどのようにワイヤレス通信デバイスのための適応的ＱｏＳプロセスに対して入力を提供することができ得るかの例に過ぎず、特許請求する主題の範囲はこの点について限定されない。
【００１５】
図１は、この特定の実施態様については移動局１５０を備えるワイヤレス通信デバイスと通信するセルラーネットワーク１２０の概略ブロック図である。この例のセルラーネットワーク１２０は、たとえば、移動局１５０を含む多数の移動局に対して音声通信を提供することができ得る。セルラーネットワーク１２０は、多数のセルラーネットワークタイプのいずれかを備えることができ得、そのいくつかの例を以下で説明する。一例では、セルラーネットワーク１２０はＣＤＭＡ２０００通信ネットワークを備え得るが、特許請求する主題の範囲はこの点について限定されない。この例示的なシステムのセルラーネットワーク１２０は、たとえば、移動局１５０のような多数のワイヤレス端末に対する通信を提供する基地局１３２、１３４、および１３６を備える。簡潔にするために、図１においてはわずかな数の基地局１３２、１３４、および１３６のみが図示されており、１つの移動局１５０が図示されている。もちろん、他の例は、さらなる数の基地局を含んでもよく、図１に図示されている基地局の構成は例示的な構成に過ぎない。また、セルラーネットワーク１２０は例示的なワイヤレス通信システムに過ぎず、特許請求する主題の範囲はこの点について限定されない。
【００１６】
本明細書で使用される場合、「基地局」という用語は、一般的に固定された地上ロケーションに設置され、たとえば、セルラーネットワークのようなワイヤレス通信システムにおける通信を可能にするために使用される任意のワイヤレス通信局および／またはデバイスを含むように意図されるが、特許請求する主題の範囲はこの点について限定されない。別の態様では、基地局は様々な電子デバイスタイプのいずれかに含まれ得る。一態様では、基地局はたとえば、ワイヤレスローカルエリアネットワーク（ＷＬＡＮ）アクセスポイントを備えることができ得る。そのようなＷＬＡＮは、一態様ではＩＥＥＥ８０２．１１ｘネットワークを備えることができ得るが、特許請求する主題の範囲はこの点について限定されない。
【００１７】
本明細書で使用される場合、「ワイヤレス通信デバイス」という用語は、ワイヤレス通信システムにおける通信を可能にするために利用されるデバイスを指す。ワイヤレス通信デバイスが利用され得る例示的なワイヤレス通信システムは、セルラーネットワークおよびＷＬＡＮを含むことができ得るが、特許請求する主題の範囲はこの点について限定されない。様々な例示的なワイヤレス通信システムを以下で説明する。
【００１８】
本明細書で使用される場合、「移動局」（ＭＳ）という用語は、その時々で変化する位置ロケーションを有し得るワイヤレス通信デバイスを指す。位置ロケーションの変化は、いくつかの例として、方向（direction）、距離（distance）、向き（orientation）などに対する変化を備えることができ得る。特定の例では、移動局は、セルラー電話、ユーザ機器、ラップトップコンピュータ、他のパーソナル通信システム（ＰＣＳ）デバイス、携帯情報端末（ＰＤＡ）、パーソナルオーディオデバイス（ＰＡＤ）、ポータブルナビゲーションデバイス、および／または他のポータブル通信デバイスを備えることができ得る。移動局はまた、機械可読命令によって制御される機能を実施するように適合されたプロセッサおよび／または計算プラットフォームを備えることができ得る。本明細書で説明する例示的な実施態様は１つまたは複数の移動局を利用するが、特許請求する主題の範囲は、この点について限定されない。
【００１９】
この例の移動交換センター（ＭＳＣ）１４０は、基地局１３２、１３４、および１３６に結合されることができ得、公衆交換電話網（ＰＳＴＮ）、パケットデータサービングノード（ＰＤＳＮ）１６０などのような他のシステムおよびネットワークにさらに結合することができ得る。この例のＭＳＣ１４０は、それに結合される基地局に対する調整および制御を提供し、これらの基地局によってサービスされる移動局へのデータ／移動局からのデータのルーティングをさらに制御する。図１に図示されている例では、ＰＤＳＮ１６０はＭＳＣ１４０をロケーションサーバ１７０に結合することができ得る。
【００２０】
図２は、広範囲に及ぶ送信機２１０からワイヤレス信号を受信する例示的な移動局２２０を示す図である。この例の移動局２２２および２２４は、セルラーネットワーク２３４およびワイヤレスローカルエリアネットワーク（ＷＬＡＮ）２３２を含む１つまたは複数のワイヤレス通信ネットワーク２３０を介して、ならびにインターネット２４０を介してロケーションサーバ２５０とも通信する。この例では、移動局２２２は、パケット交換ワイヤレスローカルエリアネットワーク（ＷＬＡＮ）２３２とセルラーネットワーク２３４の両方との通信をサポートすることができ得るマルチモードデバイスを表す。もちろん、これらはマルチモードデバイスがそれを用いて通信することができ得るワイヤレス通信ネットワークのタイプの例に過ぎず、特許請求する主題の範囲はこの点について限定されない。またこの例では、移動局２２４は、セルラーネットワーク２３４との通信をサポートすることができ得るシングルモードデバイスを表す。ここでも、セルラーネットワークは、移動局がそれを用いて通信を確立することができ得るワイヤレス通信ネットワークの１つの例に過ぎない。
【００２１】
図２の例は２つの移動局を図示しているが、実際には、広範に及ぶ種々の機能および／または使用パターンを呈する様々な移動局タイプが様々な可能性のあるネットワークタイプと通信するために利用され得る。それゆえ、前述のように、消費者にそのような移動局と対話するに当たって向上した体験を提供するために、移動局によって観測される動作環境特徴に従ってＱｏＳパラメータを適合させることが有利であり得る。
【００２２】
一態様では、送信機タイプは信号周波数または帯域クラスに従って定義されてもよい。別の態様では、送信機のタイプはネットワークプロバイダまたはキャリアに従って定義されてもよい。もちろん、これらは送信機タイプがどのように定義され得るかの例に過ぎず、特許請求する主題の範囲はこれらの点について限定されない。図２に図示されているこの例の送信機２１０は、同様に広範囲に及ぶネットワークタイプに対して広範囲に及ぶ送信機タイプのいずれかを備えることができ得る。前に言及したように、本明細書で説明する例示的な実施態様に関連して利用され得る様々な例示的なネットワークタイプを以下で説明する。
【００２３】
図３は、ワイヤレス通信デバイスのための適応的ＱｏＳのための例示的なプロセスの流れ図である。前に言及したように、１つの例示的なワイヤレス通信デバイスは移動局を備えるが、特許請求する主題の範囲は、この点について限定されない。ブロック３１０において、ワイヤレス通信デバイスはブロック３１０において１つまたは複数のワイヤレス信号を受信し得る。ワイヤレス通信デバイスは、一態様では、ワイヤレス通信デバイスの動作環境に関係する動作状態を観測するために、受信されたワイヤレス信号から測定値を取得し得るか、または他の様態で受信されたワイヤレス信号から情報を収集し得る。ワイヤレス通信デバイスの動作環境は、たとえば、バッテリーに残された充電量のような、ワイヤレス通信デバイスのバッテリーの動作特性をさらに含み得る。ブロック３２０において、ワイヤレス通信デバイスの動作環境の１つまたは複数の属性が、受信されたワイヤレス信号から収集された情報に少なくとも部分的に基づいて求められ得る。ブロック３３０において、１つまたは複数のＱｏＳパラメータを調整すべきか否かに関して決定が為され得る。１つまたは複数のＱｏＳパラメータを調整すべきか否かに関する決定は、ブロック３２０においてワイヤレス信号から求められた属性に少なくとも部分的に基づき得る。１つまたは複数のＱｏＳパラメータに対する調整がブロック３３０において指示された場合、１つまたは複数のＱｏＳパラメータが、ブロック３２０において説明された動作環境の属性の確定に少なくとも部分的に基づいて調整され得る。ブロック３３０においてそのような調整が指示されなかった場合、この例のプロセスはブロック３１０に戻り、そこで、以前に受信されたワイヤレス信号から、および／または、ワイヤレス通信デバイスにおいて受信されるさらなるワイヤレス信号から、さらなる情報が収集され得る。前述のように、ＱｏＳパラメータ調整は、ユーザによって指定される任意の選好をも考慮に入れることができ得る。しかしながら、特許請求する主題の範囲はこの点について限定されない。特許請求する主題による例は、ブロック３１０〜３４０のすべて、それに満たない、またはそれよりも多くを含んでもよい。また、ブロック３１０〜３４０の順序は例示的な順序に過ぎず、特許請求する主題の範囲はこの点について限定されない。
【００２４】
図４は、調整すべきサービス品質パラメータを決定するための例示的なプロセスの概略ブロック図である。図４に図示されているように、ＱｏＳパラメータ調整の決定は、広範囲に及ぶソースのいずれかからの広範囲に及ぶタイプの情報４０５を考慮に入れることができ得る。たとえば、一例では移動局内のプロセッサ上で実行されるソフトウェアエージェントを備え得る呼マネージャ４１０が、たとえば、通話が為される、かつ／または受信される頻度、ショートメッセージサービス（ＳＭＳ）メッセージが送信／受信される頻度、緊急通話のカウントおよび／または頻度、観測された最近のローミングシステムなどのような情報を追跡することができ得る。もちろん、このリストは追跡され得る情報の例示的なリストに過ぎず、特許請求する主題の範囲はこの点について限定されない。同様に、たとえば少なくとも部分的には移動局の無線周波数受信機および送信機を備えることができ得る無線リソース４２０は、最近のおよび／または現在のワイヤレスチャネル状態を追跡することができ得る。無線リソース４２０は、最近観測された、およびアクティブなセクタ、可視のローミングセクタ、圏外で消費された時間、クイックページングチャネルおよび／または観測されるページングチャネル、ならびにアクセスプローブ属性をも追跡することができ得る。もちろん、これらは無線リソース４２０によって追跡されることができ得る情報の例に過ぎず、特許請求する主題の範囲はこの点について限定されない。
【００２５】
別の態様において、かつ前述のように、ユーザ選好ボックス４３０によって図示されているように、ＱｏＳパラメータの調整においてユーザ選好を考慮に入れることができる。前に示されたように、ユーザによっては、通話性能の向上のためにバッテリー性能のトレードオフを図ることをいとわない者もあり得る。たとえば、或るユーザにとっては、いかにバッテリー寿命に影響を及ぼす可能性があるとしても、逃してしまう通話を可能な限り少なくすることがより重要であり得る。さらに、キャリア選好ボックス４４０によって示されるように、ワイヤレスネットワークプロバイダは、プロバイダのネットワークに関与する移動局におけるＱｏＳパラメータの設定における選好を指示することができ得る。加えて、ＱｏＳパラメータ調整を決定するためにセンサ４５０によって情報が提供され得る。移動局内で実装され得るいくつかの例示的なセンサは、加速度計、ジャイロスコープ、高度計、大気圧センサなどを含み得る。そのようなセンサは、ある時間期間にわたる移動局の進行方向（heading）、速度、高度、向きなどを追跡することができ得、移動局の位置ロケーションの確定に使用されることもでき得る。別の例では、移動局はバッテリー内に残っている充電量を検知するためのバッテリーセンサを備え得る。この例では、情報４０５はバッテリー内に残っている充電量に関係する情報を備え得る。もちろん、これらは例示的なセンサ、および移動局内に位置するセンサによって提供され得る例示的なタイプの情報に過ぎず、特許請求する主題の範囲はこれらの点について限定されない。また、別の態様において、移動局の位置ロケーションを求めるための他の技法は、衛星測位システム（ＳＰＳ）信号および／またはセルラーネットワーク信号からの情報を利用してもよいが、ここでも、特許請求する主題の範囲は、これらの点について限定されない。
【００２６】
図４に図示されている例では、様々なソース４１０〜４５０によって提供される情報４０５は、ＱｏＳパラメータ決定ユニット４６０に提供され得、当該ユニットは、たとえば、移動局内のプロセッサによって実行されるソフトウェアエージェントとして実装され得る。もちろん、他の例示的な実施態様はユニット４６０にハードウェア回路を利用してもよい。さらに他の例は、ハードウェアとソフトウェアの組合せを使用してもよい。本例のＱｏＳパラメータ決定ユニット４６０は情報４０５を受信することができ得、観測される動作環境に従って有利なＱｏＳを提供するためにいずれの１つまたは複数のＱｏＳパラメータを調整すべきかを決定することができ得る。ＱｏＳ決定ユニット４６０はまた、ユーザおよび／またはキャリア選好に少なくとも部分的に基づいていずれの１つまたは複数のＱｏＳパラメータを調整すべきかを決定することができ得る。ＱｏＳパラメータ決定ユニット４６０は、情報４０５の解析および調整すべきＱｏＳパラメータの決定においていかなる特定の技法にも限定されない。１つまたは複数の決定されたＱｏＳパラメータの調整は図４におけるボックス４７０によって表される。
【００２７】
上述のように、適応的ＱｏＳ技法は、限定はしないが、「高頻度通話」動作モード、「緊急警報」動作モード、および「二重加入」動作モードを含むいくつかの例示的な動作モードにおいて効用を見出し得る。一態様では、適応的ＱｏＳ技法は、例示的な動作モードの１つまたは複数に適用され得る。
【００２８】
一態様では、「高頻度通話」動作モードは、少なくとも部分的に、ワイヤレス通信デバイスが指定される時間期間にわたってアクティブ呼に関与しながら費やす時間量を特徴とし得る。別の態様では、しきい値時間量が指定され得、指定される時間期間にわたってしきい値時間量を超えた場合、高頻度通話モードが指摘され得る。高頻度通話動作モードは、指定されるしきい値を下回る、１つの通話の終了ともう１つの通話の開始との間の継続時間が、連続的にまたは頻繁に発生することを特徴とするワイヤレス通信デバイスの動作モードとしても説明され得る。ワイヤレス通信デバイスが高頻度通話動作モードにおいて動作している場合、ワイヤレス通信デバイスの電力消費はアクティブ呼が中心であり得る。そのような状況においては、ワイヤレス通信デバイスのユーザにとって、通話性能の向上を可能にするために通話間の比較的短い時間期間の間電力消費を上げることが好ましい場合がある。たとえば、通話性能は、移動局がページング信号を介して着信呼をチェックするために受信機回路をイネーブルする頻度を増大させることによって、および／または、受信機がページング信号を受信することが可能であるようにイネーブルされる時間量を増大させることによって向上され得る。一態様では、本明細書で使用する、受信機回路に関係するものとしての「イネーブル」という用語は、受信機回路を「オンにする」こと、および／または受信機回路に電力を印加することを指し得る。別の態様では、受信機回路を「イネーブル」することは、受信機回路にクロック信号を印加すること、および／または受信機回路にクロック信号が印加される頻度を増大させることを備え得る。しかしながら、これらはワイヤレス通信デバイスの受信機回路のイネーブルの例に過ぎず、特許請求する主題の範囲はこの点について限定されない。別の態様では、頻度、および移動局がアイドル状態にあるときに受信機がイネーブルされることによって消費される時間量の変更は、高頻度通話動作モードが検出されるか否かに応じて動的に為され得る。たとえば、ワイヤレス通信デバイスが高頻度通話動作モードにない場合、受信機回路がイネーブルされる頻度および受信機がイネーブルされる時間量は、バッテリー寿命と通話性能とのバランスをとるように意図されるデフォルト値に戻り得る。
【００２９】
アイドル状態の間に受信機がイネーブルされる頻度および時間量以外のパラメータは、高頻度通話動作モードの検出に応答して調整され得る。たとえば、高頻度通話モードの検出に応答して、パイロット信号を求めるより深い検索が実施され得る。より深い検索は、少なくとも一部の態様では、スリープ状態の後にシステムを再取得するために割り振られる、または再取得するための時間を増大させることを含み得、ＣＤＭＡ信号のコヒーレントなおよび／または非コヒーレントな積分長を増大させることをさらに含み得る。別の態様では、ページング信号を取得する可能性をより高くすることを可能にするためのＣＤＭＡ２０００セルラー通信システムの場合にスロット動作モードが終了されてもよい。非スロットモードにおける動作の結果として、ワイヤレス通信デバイスはシステムを連続的に監視するようになり得る。別の例では、ワイヤレス通信デバイスの送信機電力が、アクセスプローブ信号が１つまたは複数の基地局によって受信および認識される可能性を向上させるために増大されてもよい。さらに別の例では、ワイヤレス通信デバイスは、取得、同期（sync）、アイドル（idle）、およびアクセス状態（access states）の間の受信ダイバーシティまたは干渉除去のような、さらなる復調増強技法を起動してもよい。受信ダイバーシティは、たとえば、１ｘおよびＥＶ−ＤＯ（エボリューションデータオプティマイズド）においてネットワーク性能および／またはユーザエクスペリエンスを向上させることができ得る。しかしながら、受信ダイバーシティは、たとえば、複数の受信チェーン（receive chains）を利用し、それゆえ、受信ダイバーシティのない事例よりも電力消費を増大させる傾向にあり得る。これらのさらなる復調増強技法は、他のＱｏＳメトリクスとのトレードオフに起因して名目上オフになっている場合がある。もちろん、これらは、ワイヤレス通信デバイスが高頻度通話動作モードに入ることに応答して為され得る一部の例示的な動作および／または調整に過ぎず、特許請求する主題の範囲は、これらの具体的な例には限定されない。
【００３０】
すでに述べたように、移動局の１つの例示的な実施態様において採用され得る１つのタイプのセンサは、バッテリー内に残っている充電量を示すためのバッテリーセンサである。一態様において、バッテリーセンサが、残りの充電が指定されるしきい値を下回って低下していることを示す場合、電力消費を低減するために１つまたは複数のＱｏＳパラメータが調整され得る。たとえば、複数のアクティブな受信チェーンは単一の受信チェーンよりも多くの電力を引き込むため、受信ダイバーシティをディセーブル（disabled）することによって電力消費が低減し得る。この例について、バッテリーセンサが、バッテリー内の残りの充電が指定されるしきい値を下回って低下していることを示す場合、電力消費を低減するために受信ダイバーシティがディセーブルされ得る。このようにして、利用可能な通話時間が増大され得る。１つの例示的な実施態様では、残りの充電に関するしきい値は５０％であるように指定され得るが、特許請求する主題の範囲は、この点について限定されず、他の実施態様は他のしきい値レベルを利用してもよい。さらに、受信ダイバーシティは、バッテリーセンサによって提供される情報に応答して調整され得る、ＱｏＳに関係する機能および／またはパラメータの一例に過ぎず、特許請求する主題の範囲は、この点について限定されない。
【００３１】
図５は、移動局の高頻度通話動作モードの検出に少なくとも部分的に応答して１つまたは複数のＱｏＳパラメータを調整するためのプロセスの例示的な実施態様を示す流れ図である。ブロック５１０において、移動局の動作環境の１つまたは複数の属性が、移動局において受信された１つまたは複数のワイヤレス信号に少なくとも部分的に基づいて求められ得る。ブロック５２０は、動作環境の１つまたは複数の求められた属性に少なくとも部分的に基づいて高頻度通話動作モードが検出されたか否かについて判定が為され得ることを示している。高頻度通話動作モードの判定に少なくとも部分的に応答して、高頻度通話動作モードに関係する１つまたは複数のＱｏＳパラメータが調整され得る。そのような調整は、たとえば、アイドル状態の間に移動局が受信機回路をイネーブルする継続時間を増大させることを含み得る。もちろん、上述のように、特許請求する主題による、広範囲に及ぶ他の調整のいずれかも可能である。
【００３２】
さらなる態様では、高頻度通話動作モードに関連して上述したＱｏＳパラメータ調整のいずれかまたはすべてが「緊急警報」動作モードに拡張されることができ得る。「９１１番」状況のような、緊急通話が為されるべき状況において、ワイヤレス通信デバイスが、ユーザが「９１１番」、または、ワイヤレス通信デバイスにプログラムされ得る任意の他の緊急通報用電話番号をダイヤルしたことを検出した場合、通話性能はバッテリー寿命および電力消費の懸念に優先し得る。それゆえ、そのような状況においては、緊急呼が適時にかつ確実に伝えられることを確実にするのを助けるために上述の調整のいくつかまたはすべてを採用することが意味をなし得る。そのような調整は、緊急サービスが緊急事態にある個人または個人の地域に迅速に接触することを試みる、ｒｅｖｅｒｓｅ−９１１状況においても同様に採用され得る。そのような状況において、１つまたは複数の態様では、ワイヤレス通信デバイスは、着信呼をｒｅｖｅｒｓｅ−９１１呼として認識することができ得、上述の調整のうちの少なくともいくつかを採用することができ得る。
【００３３】
図６は、移動局の緊急警報動作モードの検出に少なくとも部分的に応答して１つまたは複数のＱｏＳパラメータを調整するためのプロセスの例示的な実施態様を示す流れ図である。ブロック６１０において、移動局の動作環境の１つまたは複数の属性が、移動局において受信された１つまたは複数のワイヤレス信号に少なくとも部分的に基づいて求められ得る。ブロック６２０は、動作環境の１つまたは複数の求められた属性に少なくとも部分的に基づいて緊急警報動作モードが検出されたか否かについて判定が為され得ることを示している。そのような属性は、ほんの一例を挙げると、緊急対応提供者に対応する、呼び出されている電話番号を含み得る。緊急警報動作モードの判定に少なくとも部分的に応答して、緊急警報動作モードに関係する１つまたは複数のＱｏＳパラメータが調整され得る。そのような調整は、たとえば、緊急対応提供者への電話呼のための送信電力の増大および／または通話完了の成功を確実にすることを助けるための１つもしくは複数の増強された復調技法の起動を含み得る。もちろん、上述のように、特許請求する主題による、広範囲に及ぶ他の調整のいずれかも可能である。加えて、そのような調整は、そのような状況では緊急警報呼完了の成功を確実にするのを助けるためにバッテリー寿命を犠牲にして為され得る。
【００３４】
同様にして、ユーザは、ワイヤレス通信デバイスのメモリ内に記憶される１つまたは複数の電話番号に対する選好を明示することができ得る。ワイヤレス通信デバイスが選好する番号に発呼するおよび／または選好する番号から着呼する場合、ワイヤレス通信デバイスは、選好する番号を呼び出す通話に関する通話性能を増強するために１つまたは複数のＱｏＳパラメータを調整することができ得る。一態様では、ユーザは、ユーザインターフェースを用いてワイヤレス通信デバイスに入力を提供することによって、自身の選好を明示することができ得る。セルラー電話の場合、入力は、ほんの二、三の例を挙げると、キーパッドを用いてまたはタッチスクリーンを用いて対話するユーザによって為され得る。
【００３５】
前述のように、移動局のようなワイヤレス通信デバイスにおいて適応的ＱｏＳを有利に利用し得る１つの可能な動作モードは「二重加入」動作モードである。「二重加入」モードは、移動局のようなワイヤレス通信デバイスが２つ以上の電話番号、プロバイダ、および／または通信プロトコルに関連付けられる状況を指す。たとえば、１つの移動局は、２つのそれぞれの電話番号を有する２つの加入を有する個人ユーザによって利用される場合がある。別の態様では、本明細書において示される例は「二重加入」動作モードを指すが、特許請求する主題の範囲は２つの加入、番号、プロバイダ、および／またはプロトコルには限定されない。むしろ、本明細書において提供される例は、説明を明瞭にする目的で２つの加入、番号、プロバイダ、および／またはプロトコルに制限されている。特許請求する主題による実施形態は、２つの加入を備えてもよく、２つよりも少ない加入を備えてもよく、２つよりも多い加入を備えてもよい。
【００３６】
二重加入動作モードの１つの例では、モバイルデバイスは２つの電話番号に関連付けられ得る。これらの番号は２つのそれぞれのユーザに関連付けられてもよく、単一のユーザによって利用されてもよい。本例では、２つの電話番号が共通のセルラー通信プロバイダによってサービスされることができ得る。しかしながら、別の例では、２つの番号は類似の通信プロトコルを使用する異なるプロバイダによってサービスされてもよい。さらなる例では、２つの番号は異なる通信プロトコルと関連付けられてもよい。たとえば、一方の番号はＣＤＭＡ２０００のような符号分割多元接続（ＣＤＭＡ）プロトコルに基づくセルラーネットワークに関連付けられてもよく、他方の番号はグローバルシステムフォーモバイルコミュニケーションズ（ＧＳＭ（登録商標）：Global System for Mobile Communications）プロトコルのような時分割多元接続（ＴＤＭＡ）プロトコルに基づくセルラーネットワークに関連付けられてもよい。しかしながら、これらは、本明細書で説明する実施態様のいずれかに関連して利用され得る例示的な通信プロトコルに過ぎず、特許請求する主題の範囲は、この点について限定されない。他の例示的な通信プロトコルを以下で説明する。
【００３７】
図７は、移動局の二重加入動作モードの検出に少なくとも部分的に応答して１つまたは複数のＱｏＳパラメータを調整するためのプロセスの例示的な実施態様を示す流れ図である。ブロック７１０において、移動局の動作環境の１つまたは複数の属性が、移動局において受信された１つまたは複数のワイヤレス信号に少なくとも部分的に基づいて求められ得る。ブロック７２０は、動作環境の１つまたは複数の求められた属性に少なくとも部分的に基づいて二重加入動作モードが検出されたか否かについて判定が為され得ることを示している。別の例では、そのような属性は、移動局に記憶されている構成情報を観察することによってさらに求められ得る。二重加入動作モードの判定に少なくとも部分的に応答して、二重加入動作モードに関係する１つまたは複数のＱｏＳパラメータが調整され得る。そのような調整は、たとえば、高頻度通話動作モードにおいて動作していると判定される、加入のうちの一方に有利になるように、無線周波数（ＲＦ）リソースアービトレート（arbitration scheme）方式をバイアスさせることを含み得る。もちろん、上述のように、かつ以下でさらに説明するように、特許請求する主題による、広範囲に及ぶ他の調整のいずれかも為され得る。
【００３８】
二重加入モードにおいて動作しているモバイルデバイスでは、上述の適応的ＱｏＳ技法のいずれかまたはすべてを実装することが有利であり得る。しかしながら、２つの加入に起因して、移動局の機能の多くが２つの加入の間で共有される。たとえば、移動局は、単一のセットの無線周波数（ＲＦ）リソース、たとえば、単一の受信機回路および単一の送信機回路を備える場合がある。ＲＦリソースを共有するために、移動局は２つの加入の間でアービトレートしてＲＦリソースの利用を管理することができ得る。さらなる例として、たとえば、両方の加入がＣＤＭＡ２０００セルラーネットワークプロバイダに関連付けられる場合、それらの加入の各々がＣＤＭＡ２０００ページング信号プロトコルにおいてそれぞれのスロットを割り当てられ得る。移動局がアイドル状態にある場合、移動局は両方の加入についてページング信号をチェックするために定期的に呼び起こされるかまたは受信機回路をイネーブルし得る。加入は、ＲＦリソースを利用するための要求を移動局内のアービトレータユニットに行うことができ得る。例示的な実施態様では、アービトレータユニットはモバイルユニット内のプロセッサ上で実行されるソフトウェアエージェントを備え得るが、特許請求する主題の範囲は、この点について限定されない。別の態様では、アービトレータユニットは、ハードウェアまたはハードウェアとソフトウェアの組合せで実装され得る。
【００３９】
移動局を備える１つの例示的な実施態様では、アービトレートユニットは、各加入がＲＦリソースに対するアクセスを獲得する等しい機会を有するように、ＲＦリソースに対するアクセスを許可することができ得る。しかしながら、一態様では、移動局が加入のうちの一方が前述のような高頻度通話モードにおいて動作していることを検出した場合、アービトレータユニットはアービトレートプロセスを高頻度通話モードにおいて動作している加入に有利になるようにバイアスさせることができ得る。これは図８に示されている例である。
【００４０】
図８は、移動局１５０のような移動局の例示的な二重加入動作モードに関する例示的なアービトレートプロセスを示す概略ブロック図である。図８に示されている例示的なアービトレートプロセスについて、各加入は同じ通信ネットワークプロバイダに関連付けられているものと仮定される。しかしながら、前述のように、特許請求する主題の範囲は同じプロバイダからの加入に限定されない。図８の例では様々な「ページ」および「スリープ」時間期間が図示されている。「ページ」期間は、移動局がその受信機をイネーブルして着信呼を示すページ信号をリスン（listens）する時間期間を表す。「スリープ」期間は、移動局がその受信機をイネーブルしていない時間期間を表す。もちろん、これらは図示されている「ページ」および「スリープ」期間の間に発生し得る動作の非常に一般的な説明であり、特許請求する主題の範囲はこの点について限定されない。また、図８の説明は、１つの例に関するアービトレートイベントの１つのあり得る一般的な順序を単に示すように意図されており、正確なタイミング関係を示すようには意図されていない。
【００４１】
図８は、加入８０１および加入８０２の例示的なアービトレートイベントを示す。図８に示されている加入８０１および加入８０２は、移動局内のプロセッサ上で実行されるソフトウェアエージェントを表すが、特許請求する主題の範囲は、ソフトウェアおよび／またはファームウェア実施態様に限定されない。加入８０１は、加入８０１が時刻ｔ１においてＲＦリソースの利用を要求しようと意図していることをＲＦリソースアービトレートエージェント８０３に示しているリザーブ信号８１１をアービトレートエージェントに送達する。リザーブ信号８１１はまた、加入８０１が現在Ｐ２の優先度値を有していることをＲＦリソースアービトレートエージェント８０３に示す。この例では、加入８０１は主加入であるとみなされ得、加入８０２はこの例では副加入であるとみなされ得る。本例の開始時点において、加入８０１はＰ２の優先度値を有し、加入８０２はＰ３の優先度値を有する。本例では、Ｐ１＞Ｐ２＞Ｐ３である。２つの加入の間でアービトレートが競合する場合、より優先度値の高い加入がＲＦリソースへのアクセスを許可され得る。
【００４２】
加入８０２の第１の「スリープ」期間の終了時に、加入８０２はＲＦリソースの制御を取得するための要求８１２を発行する。要求は、加入８０２がＰ３の現在の優先度値および時刻ｔ１の前に満了しているであろう継続時間を有することを示す。許可信号８１４がＲＦリソースアービトレートユニット８０３から加入８０２に送達され、加入８０２はＲＦリソースの制御を取得する。加入８０２は許可８１４に続く「ページ」期間の間にページング信号をチェックする。ページ期間に続いて、加入８０２はリザーブ信号８１６を発行し、それによって、加入８０２がＲＦリソースの譲渡された制御を有することを示し、時刻ｔ２においてＰ３の優先度値を有する別の要求を発行することを意図していることを示す。
【００４３】
加入８０１の第１の「スリープ」期間の終了に少なくとも部分的に応答して、加入８０１は、加入８０１の現在の優先度値であるＰ２の優先度値を有する要求信号８１３を発行する。加入８０２はＰ３の優先度を有するとともに時刻ｔ２を示すリザーブ信号８１６を以前に発行しており、加入８０１のリザーブ信号８１１はＰ２の優先度および時刻ｔ１を示している。継続時間１とラベリングされる、ｔ１において開始する時間期間は、継続時間２とラベリングされる、時刻ｔ２において開始する時間期間と競合し得る。それゆえ、加入の現在のそれぞれの優先度値に応じてＲＦリソースアービトレートエージェント８０３によって決定が為される。この決定では、ＲＦリソースアービトレートエージェント８０３は加入８０１に許可信号８１４を発行し、加入８０１は時刻ｔ１においてＲＦリソースの制御をとって継続時間１の間の後続の「ページ」期間の間にページング信号機能を実施する。
【００４４】
継続時間１中、加入８０１がＲＦリソースの制御を有している間に、加入８０２は要求信号８１８を発行し、この結果としてアービトレートエージェント８０３から拒否信号８２０がもたらされる。前述のように、ＲＦリソースアービトレートエージェント８０３は、結果として継続時間１と継続時間２との間の競合をもたらすことになるリザーブ信号８１１とリザーブ信号８１６との間の競合を認識しており、優先度値に基づいて決定が為され、加入８０２ではなく加入８０１に対してＲＦリソースが許可された。
【００４５】
拒否信号８２０の受信に少なくとも部分的に応答して、加入８０２は時刻ｔ３に対するリザーブ信号８２２を発行し得る。この例では、少なくとも部分的に、加入８０１が許可信号８１４を受信した結果として、加入８０２は一時的にＰ１の優先度値を受信する。これによって、加入８０１がＲＦリソースの制御を要求し続ける場合に加入８０２が引き続きＲＦリソースからロックアウトされないことが確実になり得る。また、加入８０１は、Ｐ２の優先度値を有する、時刻ｔ４に対するリザーブ信号８１５を発行する。加入８０２からのリザーブ信号８２２および加入８０１からのリザーブ信号８１５を受信したＲＦリソースアービトレートエージェント８０３は、時刻ｔ３において開始する継続時間３と時刻ｔ４において開始する継続時間４との間に競合の可能性があることを認識する。この例のこの時点における加入８０２は加入８０１よりも高い優先度値を有し、ＲＦリソースアービトレートエージェント８０３は、要求信号８２４の受信に少なくとも部分的に応答して加入８０２に許可信号８２６を発行する。加入８０２はＲＦリソースの制御をとり、加入８０１からの要求信号８１６の結果として、アービトレートエージェント８０３から加入８０１へ拒否信号８１７が発行されることになる。拒否信号８１７の受信に少なくとも部分的に応答して、加入８０１は時刻ｔ５において開始する時間期間に対するリザーブ信号８１８を発行する。加入８０１はＰ２の優先度値を保持し続け、加入８０２は、要求８２４に対するＰ１の一時的な優先度レベルを受信したことに少なくとも部分的に応答してＰ３の優先度値に戻る。
【００４６】
加入８０１に有利であるアービトレートバイアスを図示している図８の例は二重加入動作モードの適応的ＱｏＳの一例に過ぎない。もちろん、特許請求する主題による多種多様なアービトレート方式が実装されてもよく、特許請求する主題の範囲はいかなる特定のアービトレート方式にも限定されない。たとえば、いくつかの実施形態では、アービトレート方式は両方の加入に対して公平であるよう試みてもよい。またいくつかの実施形態では、２つ以上の加入の間でのアービトレート方式におけるバイアスは状況に応じて加入の間から変化してもよい。別の態様では、アービトレート方式が第１の加入に有利になるようにバイアスされる場合、アービトレートは、図８の例に関連して上述した状況と同様に、第１の加入のページ期間の満了後に第２の加入に有利になるようにバイアスされるようになり得る。加えて、第１の加入から第２の加入へのバイアスの変化が起こると、第１の加入のページ期間に続いて次は第２の加入がそのシステムを監視することを望み得る。代替的に、別の例では、第２の加入が第１の加入のページ期間と衝突したときに音声ページを消失した可能性があると仮定すると、アービトレート方式のバイアスの変化は、ネットワーク／基地局が音声ページを第２の加入に再送信することになると予期されるときに行われ得る。もちろん、これらは優先順位方式の態様のさらなる例に過ぎず、特許請求する主題の範囲はこれらの点について限定されない。
【００４７】
別の例では、ユーザは二重加入の中から１つの選好を指定することができ得る。そのような選好を示すユーザからの入力を受信することに少なくとも部分的に応答して、ワイヤレス通信デバイスは、選好する加入に有利になるようにアービトレート方式をバイアスさせるために、二重加入に対するアービトレート方式を調整することができ得る。これは、ワイヤレス通信デバイスの二重加入動作モードに対する適応的ＱｏＳの別の例を表す。
【００４８】
さらなる態様では、ワイヤレス通信デバイスは１つまたは複数の基地局から、２つの加入のうちの１つが呼を受信しようとしているかまたはその可能性があることを示す信号を受信してもよい。そのような場合、１つまたは複数のＱｏＳパラメータがその加入の通話性能を増強するために調整され得る。同様に、１つまたは複数の基地局からの、他方の加入がすぐに呼を受信し得るという情報を移動局が受信する場合、１つまたは複数のＱｏＳパラメータがその他方の加入の通話性能を増強するために調整され得る。このように、移動局は、いずれの加入が呼を受信しようとしているかを見分けるよう試みることができ得、それに従って１つまたは複数のＱｏＳパラメータを調整し得る。
【００４９】
さらなる態様では、ワイヤレス通信デバイスは２つの電話番号または加入を利用してもよい。たとえば、一方の電話番号または加入はＣＤＭＡ２０００  １ｘ通信のために利用されてもよく、もう一方の電話番号または加入はＥＶ−ＤＯ通信のために利用されてもよい。一態様では、１ｘ通信およびＥＶ−ＤＯ通信は、ワイヤレス通信デバイスの受信機内の単一の受信チェーンを共有してもよい。これは、「ハイブリッド」モードと呼ばれることがある。一例では、緊急警報通信の監視および復調は最高の優先度を割り当てられない場合がある。一態様では、緊急警報通信の優先度は、緊急警報動作モードの検出に少なくとも部分的に応じて上昇され得る。
【００５０】
さらなる態様では、１ｘ通信およびＥＶ−ＤＯ通信は別個の受信チェーンを利用してもよい。これは「同時」モードと呼ばれることがある。例示的な実施態様では、１ｘ通信は、ＥＶ−ＤＯ通信に対して利用されるものよりも性能の低いチェーンを割り当てられ得る。不十分なカバレージエリアでは、たとえば、１ｘ通信性能が劣化する場合があり、その結果として緊急警報通信の監視および復調における性能が劣化し得る。
【００５１】
一態様では、１ｘおよびＥＶ−ＤＯ通信に関してハイブリッドモードと同時モードとの間で選択するためのアルゴリズムが利用され得る。一例では、ハイブリッドモードを利用すべきかまたは同時モードを利用すべきかの決定は、１ｘ通信信号の受信電力に少なくとも部分的に基づき得る。別の態様では、アルゴリズムはしきい値ベースであることができ、しきい値の増大の結果として、１ｘ通信信号の受信電力が低下することに応答して同時モードからハイブリッドモードへとより積極的に切り替わることになる。一態様では、しきい値は、１ｘ通信性能を向上させるために緊急警報通信動作モードの検出に応答して上昇し得る。
【００５２】
上述の例では、様々な動作モードが検出され得、動作モードの検出に少なくとも部分的に応答して、様々なサービス品質パラメータが調整され得る。上述のような例示的な動作モードは、高頻度通話動作モード、二重加入動作モード、および／または緊急警報動作モードを含み得る。動作モードの判定は、一態様では、移動局の動作環境の１つまたは複数の属性に少なくとも部分的に基づき得る。一態様では、動作モードは単独に検出され得る。しかしながら、別の態様では、２つ以上の動作モードが同時に検出されてもよい。優先順位方式は、一例では、１つの検出されたモードに対するサービス品質パラメータの調整が、１つまたは複数の他の検出された動作モードに対するサービス品質パラメータ調整よりも高い優先度を有することを可能にし得る。加えて、前述のように、サービス品質パラメータは１つまたは複数の検出された動作モードに従って調整され得、別の態様では１つまたは複数の検出された動作モードによってだけでなく、移動局の特定の用途に従って調整され得る。すなわち、特定の移動局用途は異なる用途に対するものとは異なる場合があるサービス品質パラメータ調整の利益を受け得る。したがって、サービス品質パラメータを調整するための優先順位方式は、１つまたは複数の検出された動作モードに少なくとも部分的に基づき得、１つまたは複数の用途にも少なくとも部分的に基づき得る。しかしながら、これらはサービス品質パラメータ優先順位方式の例に過ぎず、特許請求する主題の範囲はこれらの点について限定されない。
【００５３】
図９は、図１〜図８に関連して本明細書で説明した例示的な技法のいずれかを実施するように適合され得るワイヤレス通信デバイス９００の一例のブロック図である。１つまたは複数の無線送受信機９７０は、ＲＦキャリア信号を音声またはデータなどのベースバンド情報と共にＲＦキャリアへと変調し、このようなベースバンド情報を取得するために変調ＲＦキャリアを復調するように適合され得る。アンテナ９７２は、ワイヤレス通信リンクを介して変調ＲＦキャリアを送信し、ワイヤレス通信リンクを介して変調ＲＦキャリアを受信するように適合され得る。
【００５４】
ベースバンドプロセッサ９６０は、中央処理装置（ＣＰＵ）９２０からのベースバンド情報を、ワイヤレス通信リンクを介して送信するために送受信機９７０に提供するように適合され得る。ここで、ＣＰＵ９２０は、そのようなベースバンド情報をユーザインターフェース９１０内の入力デバイスから取得することができ得る。ベースバンドプロセッサ９６０は、送受信機９７０からのベースバンド情報を、ユーザインターフェース９１０内の出力デバイスを通じて送信するためにＣＰＵ９２０に提供するようにも適合され得る。
【００５５】
ユーザインターフェース９１０は、音声またはデータのようなユーザ情報を入力または出力するための複数のデバイスを備えることができ得る。そのようなデバイスは、非限定的な例として、キーボード、表示画面、マイクロフォン、およびスピーカを含み得る。
【００５６】
送受信機９７０は、復調された情報を相関器９４０に提供することができ得る。相関器９４０は、送受信機９７０によって提供されたパイロット信号に関係する情報から、パイロット関連相関関数を導出するように適合され得る。この情報は、ワイヤレス通信デバイス９００によって、ワイヤレス通信サービスを獲得するために使用され得る。チャネル復号器９５０は、ベースバンドプロセッサ９６０から受信されるチャネルシンボルを復号してその基礎をなすソースビットにするように適合され得る。チャネルシンボルが畳み込み符号化されたシンボルを備える１つの例では、そのようなチャネル復号器はビタビ復号器を備え得る。チャネルシンボルが直列連結畳み込み符号または並列連結畳み込み符号を備える第２の例では、チャネル復号器９５０はターボ復号器を備え得る。
【００５７】
メモリ９３０は、本明細書で説明または示唆するそのプロセス、その実施態様、またはその例のうちの１つまたは複数を実施するように実行可能である機械可読命令を記憶するように適合され得る。ＣＰＵ９２０は、そのような機械可読命令にアクセスし、それを実行するように適合され得、それによって、ワイヤレス通信デバイス９００が、図１〜図５に関連して上記で説明および／または示唆したプロセス、実施態様、および／または例のうちの１つまたは複数を実施することを可能にする。もちろん、ワイヤレス通信デバイス９００は一例に過ぎず、特許請求する主題の範囲は、示されている構成要素および／または機能ユニットの具体的な構成には限定されない。
【００５８】
１つまたは複数の例では、説明した機能はハードウェア、ソフトウェア、ファームウェア、またはそれらの任意の組合せで実装され得る。ソフトウェアで実装する場合、機能は、１つまたは複数の命令またはコードとしてコンピュータ可読媒体上に記憶するか、あるいはコンピュータ可読媒体を介して送信することができ得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスできる任意の利用可能な媒体であってもよい。限定ではなく例として、そのようなコンピュータ可読媒体は、ＲＡＭ、ＲＯＭ、ＥＥＰＲＯＭ、ＣＤ−ＲＯＭ、あるいは他の光ディスクストレージ、磁気ディスクストレージまたは他の磁気記憶デバイス、もしくは命令またはデータ構造の形態の所望のプログラムコードを搬送または記憶するために使用でき、コンピュータによってアクセスできる任意の他の媒体を備えることができる。さらに、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００５９】
本明細書で説明した方法は、特定の例に従って適用例に応じて様々な手段によって実装され得る。たとえば、前述のように、そのような方法は、ハードウェア、ファームウェア、ソフトウェア、および／またはそれらの組合せで実装できる。ハードウェア実装の場合、たとえば、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、電子デバイス、本明細書で説明する機能を実施するように設計された他のデバイスユニット、および／またはそれらの組合せの中で実装され得る。
【００６０】
本明細書で言及する「命令」は、１つまたは複数の論理的動作を表す表現に関する。たとえば、命令は、１つまたは複数のデータオブジェクトに対して１つまたは複数の動作を実行するためにマシンによって解釈可能であることによって、「機械可読」であり得る。ただし、これは命令の例に過ぎず、特許請求する主題はこの点について限定されない。別の例では、本明細書で言及する命令は、符号化コマンドを含むコマンドセットを有する処理回路によって実行可能である符号化コマンドに関係することができ得る。そのような命令は、処理回路によって理解される機械語の形態で符号化でき得る。この場合も、これらは命令の例に過ぎず、特許請求する主題はこの点について限定されない。
【００６１】
本明細書で言及する「記憶媒体」は、１つまたは複数の機械によって知覚可能な表現を維持することが可能な媒体に関する。たとえば、記憶媒体は、機械可読命令および／または情報を記憶するための１つまたは複数の記憶デバイスを備えることができ得る。そのような記憶デバイスは、たとえば、磁気、光学または半導体記憶媒体を含む、いくつかの媒体タイプのうちのいずれか１つを備えることができ得る。そのような記憶デバイスは、任意のタイプの長期、短期、揮発性または非揮発性メモリデバイスを備えることもでき得る。ただし、これらは記憶媒体の例に過ぎず、特許請求する主題はこれらの点について限定されない。
【００６２】
本明細書に含まれる詳細な説明のいくつかの部分は、特定の装置または特殊目的コンピューティングデバイスまたはプラットフォームのメモリ内に記憶される２値デジタル信号に対する演算のアルゴリズムまたはシンボリック表現に関して提示する。この特定の明細書のコンテキストでは、特定の装置などの用語は、プログラムソフトウェアからの命令に従って特定の動作を実施するようにプログラムされた後の汎用コンピュータを含む。アルゴリズムの説明またはシンボリック表現は、信号処理または関連技術において当業者が、自身の仕事の本質を他の当業者に伝達するために使用する技法の例である。アルゴリズムは、本明細書では、また一般に、所望の結果をもたらす自己無撞着な一連の演算または同様の信号処理であると考えられる。このコンテキストでは、演算または処理は物理量の物理操作に関係する。必ずしもそうとは限らないが、一般に、そのような量は、格納、転送、組合せ、比較、または他の操作が可能な、電気信号または磁気信号の形態をとる。主に一般的な用法という理由で、そのような信号をビット、データ、値（values）、要素（elements）、シンボル、文字（characters）、項（terms）、数（numbers）、数字（numerals）などと呼ぶことは時々便利であることがわかっている。ただし、これらおよび同様の用語はすべて、適切な物理量に関連すべきものであり、便利なラベルに過ぎないことを理解されたい。別段に明記されていない限り、以下の説明から明らかなように、本明細書全体にわたって、「処理する」、「算出する」、「計算する」、「判断する」などの用語を利用する説明は、専用コンピュータまたは同様の専用電子コンピューティングデバイスなど、特定の装置のアクションまたはプロセスを指すことを諒解されたい。したがって、本明細書のコンテキストで、専用コンピュータまたは同様の専用電子コンピューティングデバイスは、専用コンピュータまたは同様の専用電子コンピューティングデバイスのメモリ、レジスタ、または他の情報記憶デバイス、送信デバイス、あるいは専用コンピュータまたは同様の専用電子コンピューティングデバイスのディスプレイデバイス内の電子的または磁気的な物理量として一般に表される信号を操作または変換することが可能である。
【００６３】
本明細書に記載のワイヤレス通信技法は、ワイヤレスワイドエリアネットワーク（ＷＷＡＮ）、ワイヤレスローカルエリアネットワーク（ＷＬＡＮ）、ワイヤレスパーソナルエリアネットワーク（ＷＰＡＮ）などの様々なワイヤレス通信ネットワークに関連することがある。「ネットワーク」および「システム」という用語は、本明細書では互換的に使用されることがある。ＷＷＡＮは、符号分割多元接続（ＣＤＭＡ）ネットワーク、時間分割多元接続（ＴＤＭＡ）ネットワーク、周波数分割多元接続（ＦＤＭＡ）ネットワーク、直交周波数分割多元接続（ＯＦＤＭＡ）ネットワーク、シングルキャリア周波数分割多元接続（ＳＣ−ＦＤＭＡ）ネットワーク、または上記のネットワークの任意の組合せなどであり得る。ＣＤＭＡネットワークは、ほんのいくつかの無線技術を挙げれば、ｃｄｍａ２０００、Ｗｉｄｅｂａｎｄ−ＣＤＭＡ（Ｗ−ＣＤＭＡ）などの１つまたは複数の無線アクセス技術（ＲＡＴ）を実装し得る。この場合、ｃｄｍａ２０００は、ＩＳ−９５規格、ＩＳ−２０００規格、およびＩＳ−８５６規格に従って実装される技術を含み得る。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）、Ｄｉｇｉｔａｌ  Ａｄｖａｎｃｅｄ  Ｍｏｂｉｌｅ  Ｐｈｏｎｅ  Ｓｙｓｔｅｍ（Ｄ−ＡＭＰＳ）、または何らかの他のＲＡＴを実装することができる。ＧＳＭおよびＷ−ＣＤＭＡは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ｃｄｍａ２０００は、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。３ＧＰＰおよび３ＧＰＰ２の文書は公に入手可能である。ＷＬＡＮは、ＩＥＥＥ８０２．１１ｘネットワークを備えることができ、ＷＰＡＮは、Ｂｌｕｅｔｏｏｔｈ（登録商標）ネットワーク、たとえば、ＩＥＥＥ８０２．１５ｘを備えることができる。本明細書に記載のワイヤレス通信実装形態はまた、ＷＷＡＮ、ＷＬＡＮおよび／またはＷＰＡＮの任意の組合せに関連して使用できる。
【００６４】
本明細書で使用する「および」、「および／または」、および「または」という用語は、その用語が使用されるコンテキストに少なくとも部分的に依存する様々な意味を含むことができる。一般に、「および／または」ならびに「または」がＡ、ＢまたはＣなどのリストを関連付けるために使用された場合、包含的な意味で使用された場合はＡ、Ｂ、およびＣを意味し、ならびに排他的な意味で使用された場合はＡ、ＢまたはＣを意味するものとする。本明細書全体にわたる「１つの例」または「一例」という言及は、その例に関して説明する特定の特徴、構造、または特性が、特許請求する主題の少なくとも１つの例の中に含まれることを意味する。したがって、本明細書全体にわたる様々な箇所における「１つの例では」または「一例」という句の出現は、必ずしもすべてが同じ例を指すわけではない。さらに、それらの特定の特徴、構造、または特性を組み合わせて１つまたは複数の例にすることができる。本明細書で説明する例は、機械、デバイス、エンジン、またはデジタル信号を使用して動作する装置を含み得る。そのような信号は、電子信号、光信号、電磁信号、またはロケーション間で情報を提供する任意の形態のエネルギーを備え得る。
【００６５】
現在例示的な特徴と考えられていることを例示し説明したが、特許請求する主題から逸脱することなく、他の様々な変更を行うことができ、均等物を代用することができることが、当業者には理解されよう。さらに、本明細書に記載の中心概念から逸脱することなく、特許請求する主題の教示に特定の状況を適合させるために多くの変更を行うことができ得る。したがって、特許請求する主題は、開示された特定の例に限定されず、そのような特許請求する主題は、添付の特許請求の範囲の範囲内に入るすべての態様、およびその均等物をも含み得るものとする。
なお、以下に、出願当初の特許請求の範囲に記載された発明を付記する。
［Ｃ１］方法であって、
ワイヤレス通信デバイスにおいて１つまたは複数のワイヤレス信号を受信することと、
前記１つまたは複数のワイヤレス信号に少なくとも部分的に基づいて、前記ワイヤレス通信デバイスの動作環境の１つまたは複数の属性を求めることと、
前記動作環境の前記１つまたは複数の求められた属性に少なくとも部分的に基づいて、高頻度通話動作モード、二重加入動作モード、および／または緊急警報動作モードのうちの１つまたは複数を検出することと、
前記１つまたは複数の動作モードを前記検出することに少なくとも部分的に応答して、前記ワイヤレス通信デバイスの１つまたは複数のサービス品質パラメータを調整することと
を備える、方法。
［Ｃ２］前記検出することは、前記高頻度通話動作モードを検出することを備える、Ｃ１に記載の方法。
［Ｃ３］前記１つまたは複数のサービス品質パラメータを前記調整することは、前記高頻度通話動作モードを前記検出することに少なくとも部分的に応答して、前記ワイヤレス通信デバイスのアイドル状態の間に前記ワイヤレス通信デバイスが受信機回路をイネーブルする頻度を増大させることを備える、Ｃ２に記載の方法。
［Ｃ４］前記１つまたは複数のパラメータを調整することは、前記高頻度通話動作モードを前記検出することに少なくとも部分的に応答して、アイドル状態の間に前記ワイヤレス通信デバイスが受信機回路をイネーブルする時間期間を増大させることを備える、Ｃ２に記載の方法。
［Ｃ５］前記１つまたは複数のサービス品質パラメータを調整することは、
前記高頻度通話動作モードを前記検出することに少なくとも部分的に応答して、或るスロット動作モードを終了して或るスロット動作モードになることと、
前記高頻度通話動作モードを前記検出することに少なくとも部分的に応答して、同期、アイドル、および／またはアクセス状態の間に受信ダイバーシティおよび干渉除去を備える１つまたは複数の復調技法を起動することと
のうちの１つまたは複数を備える、Ｃ２に記載の方法。
［Ｃ６］前記検出することは、前記二重加入動作モードを検出することを備える、Ｃ１に記載の方法。
［Ｃ７］前記１つまたは複数のサービス品質パラメータを調整することは、２つ以上の加入の間でアービトレート優先度を動的に調整することを備える、Ｃ６に記載の方法。
［Ｃ８］前記２つ以上の加入の間で前記アービトレート優先度を前記調整することは、前記２つ以上の加入のうちの１つが前記高頻度通話動作モードにあるか否かを判定することと、前記高頻度通話動作モードにある前記加入に有利になるように前記アービトレート優先度をバイアスさせることとを備える、Ｃ７に記載の方法。
［Ｃ９］前記２つ以上の加入の間で前記アービトレート優先度を前記調整することは、ユーザ指定に従って前記２つ以上の加入のうちの１つに有利になるように前記アービトレート優先度をバイアスさせることを備える、Ｃ７に記載の方法。
［Ｃ１０］前記２つ以上の加入の間で前記アービトレート優先度を前記調整することは、前記２つ以上の加入のうちの１つが通話に入る可能性が高いか否かまたは前記高頻度通話動作モードにあるか否かを判定することと、前記通話に入る可能性が高い、または前記高頻度通話動作モードにあると判定された前記加入に有利になるように前記アービトレート優先度をバイアスさせることとを備える、Ｃ７に記載の方法。
［Ｃ１１］前記２つ以上の加入の間で前記アービトレート優先度を前記調整することは、第１のページ期間にわたって第１の加入に有利になるように前記アービトレート優先度をバイアスさせることを備え、前記方法は、前記第１のページ期間の満了に少なくとも部分的に応答して、第２の加入に有利になるように前記アービトレート優先度をバイアスさせることをさらに備える、Ｃ７に記載の方法。
［Ｃ１２］前記検出することは、前記緊急警報動作モードを検出することを備える、Ｃ１に記載の方法。
［Ｃ１３］緊急警報動作モードを前記検出することは、前記ワイヤレス通信デバイスが緊急対応電話番号への通話を開始したことを認識することに少なくとも部分的に基づいて前記緊急警報動作モードを検出することを備える、Ｃ１２に記載の方法。
［Ｃ１４］前記１つまたは複数のサービス品質パラメータを前記調整することは、緊急警報通話のための信号送信電力を増大させることを備える、Ｃ１２に記載の方法。
［Ｃ１５］前記１つまたは複数のサービス品質パラメータを前記調整することは、１つまたは複数の増強復調技法を起動することを備える、Ｃ１２に記載の方法。
［Ｃ１６］前記１つまたは複数のサービス品質パラメータを前記調整することは、１ｘ加入および別個のＥＶ−ＤＯ加入が受信チェーンを共有する場合に緊急警報通信を変調および／または復調することに対する優先度を上げることを備える、Ｃ１２に記載の方法。
［Ｃ１７］前記１つまたは複数のサービス品質パラメータを前記調整することは、同時モードからハイブリッドモードへと切り替えるためのアルゴリズムに対するしきい値を上昇させることを備え、前記同時モードは、１ｘ通信には第１の受信チェーンを、および、ＥＶ−ＤＯ通信には第２の受信チェーンを利用し、前記ハイブリッドモードは、１ｘとＥＶ−ＤＯ通信の両方に単一の受信チェーンを利用し、さらに、前記しきい値を前記上昇させることの結果として、１ｘ通信の受信信号電力に応答して同時モードからハイブリッドモードへより積極的に切り替わることになる、Ｃ１２に記載の方法。
［Ｃ１８］バッテリー充電が指定されるしきい値を下回って低下したことに少なくとも部分的に応答して１つまたは複数のＱｏＳパラメータを調整することをさらに備える、Ｃ１に記載の方法。
［Ｃ１９］前記バッテリー充電が前記指定されるしきい値を下回って低下したことに少なくとも部分的に応答して前記１つまたは複数のＱｏＳパラメータを前記調整することは、電力消費を低減するために１つまたは複数の受信チェーンをディセーブルすることを備える、請求項１８に記載の方法。
［Ｃ２０］ワイヤレス通信デバイスであって、
前記ワイヤレス通信デバイスにおいて１つまたは複数のワイヤレス信号を受信するため
の受信機と、
前記１つまたは複数のワイヤレス信号に少なくとも部分的に基づいて、前記ワイヤレス通信デバイスの動作環境の１つまたは複数の属性を求めるプロセッサであって、前記プロセスはさらに、前記動作環境の前記１つまたは複数の求められた属性に少なくとも部分的に基づいて、高頻度通話動作モード、二重加入動作モード、および／または緊急警報動作モードのうちの１つまたは複数を検出し、前記プロセッサはさらに、前記１つまたは複数の動作モードを前記検出することに少なくとも部分的に応答して、前記ワイヤレス通信デバイスの１つまたは複数のサービス品質パラメータを調整する、プロセッサと
を備える、ワイヤレス通信デバイス。
［Ｃ２１］前記プロセッサは、少なくとも部分的に前記高頻度通話動作モードを検出することによって、前記１つまたは複数の動作モードを検出する、Ｃ２０に記載のワイヤレス通信デバイス。
［Ｃ２２］前記プロセッサは、前記プロセッサが前記高頻度通話動作モードを前記検出することに少なくとも部分的に応答して、少なくとも部分的に前記ワイヤレス通信デバイスのアイドル状態の間に前記ワイヤレス通信デバイスが受信機回路をイネーブルする頻度を増大させることによって、前記１つまたは複数のサービス品質パラメータを調整する、Ｃ２１に記載のワイヤレス通信デバイス。
［Ｃ２３］前記プロセッサは、前記高頻度通話動作モードを前記検出することに少なくとも部分的に応答して、少なくとも部分的にアイドル状態の間に前記ワイヤレス通信デバイスが受信機回路をイネーブルする時間期間を増大させることによって、前記１つまたは複数のパラメータを調整する、Ｃ２１に記載のワイヤレス通信デバイス。
［Ｃ２４］前記プロセッサは、少なくとも部分的に、
前記プロセッサが前記高頻度通話動作モードを検出することに少なくとも部分的に応答して、或るスロット動作モードを終了して或るスロット動作モードになること、ならびに／または
前記プロセッサが前記高頻度通話動作モードを前記検出することに少なくとも部分的に応答して、同期、アイドル、および／もしくはアクセス状態の間に受信ダイバーシティおよび干渉除去を備える１つまたは複数の復調技法を起動することによって、前記１つまたは複数のサービス品質パラメータを調整する、Ｃ２１に記載のワイヤレス通信デバイス。
［Ｃ２５］前記プロセッサは、少なくとも部分的に前記二重加入動作モードを検出することによって、前記１つまたは複数の動作モードを検出する、Ｃ２０に記載のワイヤレス通信デバイス。
［Ｃ２６］前記プロセッサは、少なくとも部分的に、２つ以上の加入の間でアービトレート優先度を動的に調整することによって前記１つまたは複数のサービス品質パラメータを調整する、Ｃ２５に記載のワイヤレス通信デバイス。
［Ｃ２７］前記プロセッサは、少なくとも部分的に、前記２つ以上の加入のうちの１つが前記高頻度通話動作モードにあるか否かを判定すること、および、前記高頻度通話動作モードにある前記加入に有利になるように前記アービトレート優先度をバイアスさせることによって、前記２つ以上の加入の間で前記アービトレート優先度を調整する、Ｃ２６に記載のワイヤレス通信デバイス。
［Ｃ２８］前記プロセッサは、少なくとも部分的に、ユーザ指定に従って前記２つ以上の加入のうちの１つに有利になるように前記アービトレート優先度をバイアスさせることによって、前記２つ以上の加入の間で前記アービトレート優先度を調整する、Ｃ２６に記載のワイヤレス通信デバイス。
［Ｃ２９］前記プロセッサは、少なくとも部分的に、前記２つ以上の加入のうちの１つが通話に入る可能性が高いか否かまたは前記高頻度通話動作モードにあるか否かを判定すること、および、前記通話に入る可能性が高い、または前記高頻度通話動作モードにあると判定された前記加入に有利になるように前記アービトレート優先度をバイアスさせることによって、前記２つ以上の加入の間で前記アービトレート優先度を調整する、Ｃ２６に記載のワイヤレス通信デバイス。
［Ｃ３０］前記プロセッサは、少なくとも部分的に、第１のページ期間にわたって第１の加入に有利になるように前記アービトレート優先度をバイアスさせることによって前記２つ以上の加入の間で前記アービトレート優先度を調整し、前記プロセッサはさらに、前記第１のページ期間の満了に少なくとも部分的に応答して、第２の加入に有利になるように前記アービトレート優先度をバイアスさせる、Ｃ２６に記載のワイヤレス通信デバイス。
［Ｃ３１］前記プロセッサは、少なくとも部分的に前記緊急警報動作モードを検出することによって、前記１つまたは複数の動作モードを検出する、Ｃ２０に記載のワイヤレス通信デバイス。
［Ｃ３２］前記プロセッサは、移動局が緊急対応電話番号への通話を開始したことを認識することに少なくとも部分的に基づいて前記緊急警報動作モードを検出する、Ｃ３１に記載のワイヤレス通信デバイス。
［Ｃ３３］前記プロセッサは、少なくとも部分的に、緊急警報通話のための信号送信電力を増大させることによって前記１つまたは複数のサービス品質パラメータを調整する、Ｃ３１に記載のワイヤレス通信デバイス。
［Ｃ３４］前記プロセッサは、少なくとも部分的に、１つまたは複数の増強復調技法を起動することによって前記１つまたは複数のサービス品質パラメータを調整する、Ｃ３１に記載のワイヤレス通信デバイス。
［Ｃ３５］前記プロセッサは、少なくとも部分的に、１ｘ加入および別個のＥＶ−ＤＯ加入が受信チェーンを共有する場合に緊急警報通信を変調および／または復調することに対する優先度を上げることによって、前記１つまたは複数のサービス品質パラメータを調整する、請求項３１に記載のワイヤレス通信デバイス。
［Ｃ３６］前記プロセッサは、少なくとも部分的に、同時モードからハイブリッドモードへと切り替えるためのアルゴリズムに対するしきい値を上昇させることによって、前記１つまたは複数のサービス品質パラメータを調整し、前記同時モードは、１ｘ通信には第１の受信チェーンを、および、ＥＶ−ＤＯ通信には第２の受信チェーンを利用し、前記ハイブリッドモードは、１ｘとＥＶ−ＤＯ通信の両方に単一の受信チェーンを利用し、さらに、前記しきい値を前記上昇させることの結果として、１ｘ通信の受信信号電力に応答して同時モードからハイブリッドモードへより積極的に切り替わることになる、Ｃ３１に記載のワイヤレス通信デバイス。
［Ｃ３７］前記プロセッサはさらに、バッテリー充電が指定されるしきい値を下回って低下したことに少なくとも部分的に応答して１つまたは複数のＱｏＳパラメータを調整する、Ｃ２０に記載のワイヤレス通信デバイス。
［Ｃ３８］前記プロセッサは、少なくとも部分的に、電力消費を低減するために１つまたは複数の受信チェーンをディセーブルすることによって、前記バッテリー充電が前記指定されるしきい値を下回って低下したことに応答して１つまたは複数のＱｏＳパラメータを調整する、Ｃ３７に記載のワイヤレス通信デバイス。
［Ｃ３９］ワイヤレス通信デバイスにおいて１つまたは複数のワイヤレス信号を受信するための手段と、
前記１つまたは複数のワイヤレス信号に少なくとも部分的に基づいて、ワイヤレス通信デバイスの動作環境の１つまたは複数の属性を求めるための手段と、
前記動作環境の前記１つまたは複数の求められた属性に少なくとも部分的に基づいて、高頻度通話動作モード、二重加入動作モード、および／または緊急警報動作モードのうちの１つまたは複数を検出するための手段と、
前記１つまたは複数の動作モードを前記検出することに少なくとも部分的に応答して、前記ワイヤレス通信デバイスの１つまたは複数のサービス品質パラメータを調整するための手段と
を備える、装置。
［Ｃ４０］前記検出するための手段は前記高頻度通話動作モードを検出するための手段を備え、前記１つまたは複数のサービス品質パラメータを調整するための前記手段は、前記高頻度通話動作モードを前記検出することに少なくとも部分的に応答して、前記ワイヤレス通信デバイスのアイドル状態の間に前記ワイヤレス通信デバイスが受信機回路をイネーブルする頻度を増大させるための手段を備える、Ｃ３９に記載の装置。
［Ｃ４１］前記検出するための手段は、前記二重加入動作モードを検出するための手段を備え、前記１つまたは複数のサービス品質パラメータを調整するための手段は、２つ以上の加入の間でアービトレート優先度を動的に調整するための手段を備える、Ｃ３９に記載の装置。
［Ｃ４２］前記検出するための手段は、前記緊急警報動作モードを検出するための手段を備え、前記緊急警報動作モードを検出するための前記手段は、前記ワイヤレス通信デバイスが緊急対応電話番号への通話を開始したことを認識することに少なくとも部分的に基づいて前記緊急警報動作モードを検出するための手段を備える、Ｃ３９に記載の装置。
［Ｃ４３］前記１つまたは複数のサービス品質パラメータを前記調整するための手段は、緊急警報通話のための信号送信電力を増大させるための手段を備える、Ｃ４２に記載の装置。
［Ｃ４４］バッテリー充電が指定されるしきい値を下回って低下したことに少なくとも部分的に応答して１つまたは複数のＱｏＳパラメータを調整するための手段をさらに備える、Ｃ３９に記載の装置。
［Ｃ４５］ワイヤレス通信デバイスによって、
１つまたは複数のワイヤレス信号を受信し、
前記１つまたは複数のワイヤレス信号に少なくとも部分的に基づいて、前記ワイヤレス通信デバイスの動作環境の１つまたは複数の属性を求め、
前記動作環境の前記１つまたは複数の求められた属性に少なくとも部分的に基づいて、高頻度通話動作モード、二重加入動作モード、および／または緊急警報動作モードのうちの１つまたは複数を検出し、
前記１つまたは複数の動作モードを前記検出することに少なくとも部分的に応答して、前記ワイヤレス通信デバイスの１つまたは複数のサービス品質パラメータを調整する
ために実行可能である命令を記憶している記憶媒体を備える、物品。
［Ｃ４６］前記記憶媒体は、前記ワイヤレス通信デバイスによって、
少なくとも部分的に、前記高頻度通話動作モードを検出することによって前記１つまたは複数の動作モードを検出し、
前記高頻度通話動作モードを前記検出することに少なくとも部分的に応答して、少なくとも部分的に、前記ワイヤレス通信デバイスのアイドル状態の間に前記ワイヤレス通信デバイスが受信機回路をイネーブルする頻度を増大させることによって、前記１つまたは複数のサービス品質パラメータを調整する
ように実行可能であるさらなる命令を記憶している、Ｃ４５に記載の物品。
［Ｃ４７］前記記憶媒体は、前記ワイヤレス通信デバイスによって、少なくとも部分的に、
前記高頻度通話動作モードを前記検出することに少なくとも部分的に応答して、或るスロット動作モードを終了して或るスロット動作モードになること、ならびに／または
前記高頻度通話動作モードを前記検出することに少なくとも部分的に応答して、同期、アイドル、および／もしくはアクセス状態の間に受信ダイバーシティおよび干渉除去を備える１つまたは複数の復調技法を起動すること
によって、前記１つまたは複数のサービス品質パラメータを調整するように実行可能であるさらなる命令を記憶している、Ｃ４６に記載の物品。
［Ｃ４８］前記記憶媒体は、前記ワイヤレス通信デバイスによって、
少なくとも部分的に、前記二重加入動作モードを検出することによって前記１つまたは複数の動作モードを検出し、
少なくとも部分的に、２つ以上の加入の間でアービトレート優先度を動的に調整することによって前記１つまたは複数のサービス品質パラメータを調整する
ように実行可能であるさらなる命令を記憶している、Ｃ４５に記載の物品。
［Ｃ４９］前記記憶媒体は、前記ワイヤレス通信デバイスによって、少なくとも部分的に、前記２つ以上の加入のうちの１つが前記高頻度通話動作モードにあるか否かを判定すること、および、前記高頻度通話動作モードにある前記加入に有利になるように前記アービトレート優先度をバイアスさせることによって、前記２つ以上の加入の間で前記アービトレート優先度を調整するように実行可能であるさらなる命令を記憶している、Ｃ４８に記載の物品。
［Ｃ５０］前記記憶媒体は、前記ワイヤレス通信デバイスによって、
少なくとも部分的に、前記ワイヤレス通信デバイスが緊急対応電話番号への通話を開始したことを認識することに少なくとも部分的に基づいて前記緊急警報動作モードを検出することによって、前記１つまたは複数の動作モードを検出し、
少なくとも部分的に、緊急警報通話のための信号送信電力を増大させることによって前記１つまたは複数のサービス品質パラメータを調整する
ように実行可能であるさらなる命令を記憶している、Ｃ４５に記載の物品。
【図１】
0005592004.tif 000002
【図２】
0005592004.tif 000003
【図３】
0005592004.tif 000004
【図４】
0005592004.tif 000005
【図５】
0005592004.tif 000006
【図６】
0005592004.tif 000007
【図７】
0005592004.tif 000008
【図８】
0005592004.tif 000009
【図９】
0005592004.tif 000010